(57)【要約】【課題】  高圧放電灯が寿命末期状態であるときに寿命末期が判定されるまでの時間を高圧放電灯の種別に応じて短縮することができる高圧放電灯装置及び照明器具を提供する。【解決手段】  高圧放電灯の点灯が開始されてから所定の保留時間Ｔｗの経過後に、それぞれ所定の監視時間Ｔｄの長さを有する単位期間毎に、ランプ電圧（すなわち高圧放電灯の両端電圧の振幅）の最大値と最小値との差であるランプ電圧変動幅を演算して所定の安定変動幅Ｖｓｔと比較するという安定監視動作を開始するとともに、ランプ電圧変動幅が所定の安定変動幅Ｖｓｔ未満となったときのランプ電圧の最新の検出値が所定の判定閾値Ｖｔｈ未満であった場合に、高圧放電灯が寿命末期であると判定して高圧放電灯への電力の出力を停止させる。ランプ電圧が安定するまでの時間が短い高圧放電灯ほど、寿命末期の判定にかかる時間を短縮することができる。【選択図】図１
2011113765.tif 000002
【特許請求の範囲】
【請求項１】
高圧放電灯に対して交流電力を出力することにより高圧放電灯を点灯させる点灯部と、
高圧放電灯が点灯している期間には点灯部から高圧放電灯への出力電力を所定の目標値とするように点灯部を制御する制御部とを備え、
制御部は、高圧放電灯が点灯を開始した後に、高圧放電灯の両端電圧の振幅を監視し、それぞれ所定の監視時間の長さを有する単位期間毎に、高圧放電灯の両端電圧の振幅の最大値と最小値との差であるランプ電圧変動幅を演算するとともに得られたランプ電圧変動幅を所定の安定変動幅と比較するという安定監視動作を行うとともに、安定監視動作中に得られたランプ電圧変動幅が安定変動幅未満となったときに高圧放電灯の両端電圧の振幅を所定の判定閾値と比較することで高圧放電灯が寿命末期か否かを判定する寿命判定動作を行い、寿命判定動作においては、高圧放電灯の両端電圧の振幅が判定閾値以上であれば高圧放電灯は寿命末期ではないと判定して高圧放電灯の点灯を継続させるように点灯部を制御する一方、高圧放電灯の両端電圧の振幅が所定の判定閾値未満であれば、高圧放電灯は寿命末期であると判定して、点灯部から高圧放電灯への電力の出力を停止させることを特徴とする高圧放電灯点灯装置。
【請求項２】
高圧放電灯は、点灯を開始した後に、両端電圧の振幅が上昇する過程で、両端電圧の振幅の上昇の速度が一時的に低下する減速期間を有するものであって、
制御部は、高圧放電灯が点灯を開始してから、高圧放電灯の点灯の開始から減速期間の終了までの時間よりも長い所定の保留時間が経過した後に、安定監視動作を開始することを特徴とする請求項１記載の高圧放電灯点灯装置。
【請求項３】
請求項１又は請求項２記載の高圧放電灯点灯装置と、高圧放電灯点灯装置に接続された高圧放電灯及び高圧放電灯点灯装置をそれぞれ保持する器具本体とを備えることを特徴とする照明器具。
【発明の詳細な説明】
【技術分野】
【０００１】
本発明は、高圧放電灯点灯装置及び照明器具に関するものである。
【背景技術】
【０００２】
従来から、金属蒸気中のアーク放電による発光を利用する高圧放電灯を点灯させる高圧放電灯点灯装置が提供されている。
【０００３】
この種の高圧放電灯点灯装置として、例えば図６に示すものがある。この高圧放電灯点灯装置は、外部の交流電源ＡＣから入力された交流電力を全波整流するダイオードブリッジＤＢと、ダイオードブリッジＤＢの出力端間に接続されたブーストコンバータ１１と、ブーストコンバータ１１の出力端間に接続されたバックコンバータ１２と、バックコンバータ１２の出力電圧を交流電圧に変換（交番）して高圧放電灯３に出力するフルブリッジインバータ１３と、高圧放電灯３の点灯開始（始動）のための高電圧パルスを発生させる始動回路１４と、ブーストコンバータ１１とバックコンバータ１２とフルブリッジインバータ１３とをそれぞれ制御する制御部２とを備える。また、ダイオードブリッジＤＢの出力端間にはコンデンサが接続されている。請求項における点灯部は、ブーストコンバータ１１とバックコンバータ１２とフルブリッジインバータ１３とで構成されている。
【０００４】
詳しく説明すると、ブーストコンバータ１１は、昇圧チョッパ回路とも呼ばれる周知の回路であり、インダクタＬ１とダイオードＤ１とコンデンサＣ１との直列回路であってダイオードブリッジＤＢの出力端間に接続された直列回路と、ダイオードＤ１とコンデンサＣ１との直列回路に対して並列に接続されたスイッチング素子Ｑ１とを備え、コンデンサＣ１の両端をそれぞれ出力端としている。
【０００５】
バックコンバータ１２は、降圧チョッパ回路とも呼ばれる周知の回路であり、スイッチング素子Ｑ２とインダクタＬ２とコンデンサＣ２との直列回路であってブーストコンバータ１１の出力端間に接続された直列回路と、インダクタＬ２とコンデンサＣ２との直列回路に対して並列に接続されたダイオード２とを備え、コンデンサＣ２の両端をそれぞれ出力端としている。
【０００６】
フルブリッジインバータ１３は、それぞれ２個ずつのスイッチング素子Ｑａ〜Ｑｄからなる直列回路が２個、バックコンバータ１２の出力端間に互いに並列に接続されてなり、上記の各直列回路におけるスイッチング素子Ｑａ〜Ｑｄの接続点をそれぞれ出力端としている。
【０００７】
制御部２は、ブーストコンバータ１１のスイッチング素子Ｑ１を繰り返しオンオフ駆動する昇圧側駆動回路２１と、バックコンバータ１２のスイッチング素子Ｑ２を繰り返しオンオフ駆動する降圧側駆動回路２２と、フルブリッジインバータ１３において互いに対角に位置する一方の組のスイッチング素子Ｑａ，Ｑｄと他方の組のスイッチング素子Ｑｂ，Ｑｃとを交互に周期的にオンオフ駆動するインバータ駆動回路２３とを有する。昇圧側駆動回路２１はブーストコンバータ１１の出力電圧を所定の目標値とするようにスイッチング素子Ｑ１のオンデューティを随時変更するというフィードバック制御を行い、降圧側駆動回路２２はバックコンバータ１２の出力電力（高圧放電灯３が点灯中であれば、すなわち高圧放電灯３への出力電力）を所定の目標値とするようにスイッチング素子Ｑ２のオンデューティを随時変更するというフィードバック制御を行う。
【０００８】
始動回路１４は、一次巻線が電圧応答型のスイッチング素子ＱｐとコンデンサＣｐとの直列回路としてフルブリッジインバータ１３の出力端間に接続され、二次巻線がフルブリッジインバータ１３と高圧放電灯３との間に挿入されたパルストランスＰＴを備える。始動回路１４のスイッチング素子Ｑｐには、抵抗Ｒｐが並列に接続されている。すなわち、高圧放電灯３が未だ点灯しておらず高圧放電灯３に電流が流れない状態では、フルブリッジインバータ１３の出力の極性が反転する毎に、反転の直前まで充電されていたコンデンサＣｐの両端電圧がフルブリッジインバータ１３の反転後の出力電圧に重畳された電圧によりスイッチング素子Ｑｐがオンされ、このスイッチング素子Ｑｐのオンに伴ってパルストランスＰＴの一次巻線に急激に電流が流れ、パルストランスＰＴの二次巻線に誘導された電圧がフルブリッジインバータ１３の出力電圧に重畳された高電圧パルスが高圧放電灯３に出力される。高圧放電灯３では、フルブリッジインバータ１３の出力の極性の反転毎に上記のような高電圧パルスが入力されることで、やがて放電及び点灯が開始される。また、高圧放電灯３が点灯した状態では、電流が高圧放電灯３に流れて始動回路１４のコンデンサＣｓが充電されないことにより、上記の高電圧パルスは出力されない。制御部２は、高圧放電灯３が点灯しているか否かを、バックコンバータ１２の出力電圧に基いて判定する点灯判定回路２４を有し、降圧側駆動回路２２は、点灯判定回路２４による判定結果に応じて、バックコンバータ１２の出力電力の目標値を変化させる。
【０００９】
ところで、高圧放電灯３は、図７に示すように、例えばセラミックや石英ガラスのような透光性を有する材料からなり内部には放電ガスが封入されるとともに一対の電極（図示せず）が設けられた発光管３１と、例えば硬質ガラスのような透光性を有する材料からなり真空雰囲気中又は窒素ガス雰囲気中に発光管３１を密封する外管３２とを備える。放電ガスは、例えばアルゴンガスのような希ガスと、例えば水銀やナトリウムなどの金属蒸気や金属ハロゲン化物蒸気とを含むものである。
【００１０】
製造後には発光管３１からは放電ガスが僅かずつ外管３２内に漏れ出しており、この漏れが進行すると、高圧放電灯３の電気的特性の変化により、高圧放電灯装置の回路部品にかかる電気ストレスが大きくなってしまう。さらに、外管３２内で放電ガスに由来する金属の蒸着による短絡が発生した場合には、発熱により外管３２の破損が発生したり、高圧放電灯装置の回路部品に過剰な電気ストレスがかかったりする可能性がある。そこで、発光管３１内の放電ガスの圧力がある程度低下したときが高圧放電灯３の寿命末期とされ、高圧放電灯３を点灯させる高圧放電灯点灯装置においては上記のような寿命末期を検出して高圧放電灯３への電力の出力を停止させるような構成が採用される。
【００１１】
ここで、高圧放電灯３が点灯を開始した直後には、フルブリッジインバータ１３の出力電圧（高圧放電灯３の両端電圧）の振幅（すなわちバックコンバータ１２からフルブリッジインバータ１３への出力電圧。以下、「ランプ電圧」と呼ぶ。）は、図１に曲線ＡＮ，ＢＮで示すように徐々に大きくなってやがて安定する。そして、高圧放電灯３の発光管３１内の放電ガスの圧力が低下するほど、上記のように安定した状態でのランプ電圧が小さくなる。すなわち、高圧放電灯３が寿命末期か否かはランプ電圧に基いて判定することができる。
【００１２】
従来は、ランプ電圧が所定電圧よりも低い状態が所定の判定時間以上継続したときに、高圧放電灯３が寿命末期であると判定されていた（例えば、特許文献１参照）。
【先行技術文献】
【特許文献】
【００１３】
【特許文献１】特開１１−２６１７３号公報
【発明の概要】
【発明が解決しようとする課題】
【００１４】
ここで、高圧放電灯３が点灯を開始してからランプ電圧が安定するまでにかかる時間（以下、「安定時間」と呼ぶ。）は、図１において曲線ＡＮで示す高圧放電灯３と曲線ＢＮで示す高圧放電灯３とで異なるといったように、高圧放電灯３の種別毎に異なる。例えば、放電ガスにおいてナトリウムの濃度が高い高圧放電灯３ほど安定時間が長くなり、発光管３１の材質が石英の場合には発光管３１の材質がセラミックの場合に比べて安定時間が短くなるといった傾向がある。
【００１５】
さらに、高圧放電灯点灯装置においては、生産数の増加による製造コストの低減や、維持管理の容易化のためには、複数種類の高圧放電灯３が接続可能であることが望ましい。
【００１６】
上記従来の高圧放電灯点灯装置において、複数種類の高圧放電灯３を接続可能とする場合、実際には未だ寿命末期ではない高圧放電灯３が誤って寿命末期と判定されてしまう誤判定を避けるためには、上記の判定時間は、接続が想定される高圧放電灯３の安定時間のうち最も長いものを基準として決定する必要がある。そうすると、接続された高圧放電灯３が、接続が想定される高圧放電灯３のうち安定時間が最も短いものである場合、判定時間が無駄に長く、高圧放電灯３が寿命末期か否かの判定結果が確定するタイミングが遅いということになり、つまり、高圧放電灯点灯装置の回路部品に対して過剰な電気的ストレスが加わる可能性のある時間が長くなってしまう。
【００１７】
本発明は、上記事由に鑑みて為されたものであり、その目的は、高圧放電灯が寿命末期状態であるときに寿命末期が判定されるまでの時間を、高圧放電灯の種別に応じて短縮することができる高圧放電灯装置及び照明器具を提供することにある。
【課題を解決するための手段】
【００１８】
請求項１の発明は、高圧放電灯に対して交流電力を出力することにより高圧放電灯を点灯させる点灯部と、高圧放電灯が点灯している期間には点灯部から高圧放電灯への出力電力を所定の目標値とするように点灯部を制御する制御部とを備え、制御部は、高圧放電灯が点灯を開始した後に、高圧放電灯の両端電圧の振幅を監視し、それぞれ所定の監視時間の長さを有する単位期間毎に、高圧放電灯の両端電圧の振幅の最大値と最小値との差であるランプ電圧変動幅を演算するとともに得られたランプ電圧変動幅を所定の安定変動幅と比較するという安定監視動作を行うとともに、安定監視動作中に得られたランプ電圧変動幅が安定変動幅未満となったときに高圧放電灯の両端電圧の振幅を所定の判定閾値と比較することで高圧放電灯が寿命末期か否かを判定する寿命判定動作を行い、寿命判定動作においては、高圧放電灯の両端電圧の振幅が判定閾値以上であれば高圧放電灯は寿命末期ではないと判定して高圧放電灯の点灯を継続させるように点灯部を制御する一方、高圧放電灯の両端電圧の振幅が所定の判定閾値未満であれば、高圧放電灯は寿命末期であると判定して、点灯部から高圧放電灯への電力の出力を停止させることを特徴とする。
【００１９】
この発明によれば、寿命判定動作が行われるタイミングが、高圧放電灯の点灯後に高圧放電灯の両端電圧の振幅が安定するまでにかかる安定時間に応じて変動するから、高圧放電灯の両端電圧の振幅が所定の判定閾値未満である期間が所定時間に達したときに高圧放電灯が寿命末期であると判定する場合に比べ、上記の安定時間が比較的に短い高圧放電灯については、高圧放電灯が寿命末期状態であるときに寿命末期が判定されるまでの時間を短縮することができる。
【００２０】
請求項２の発明は、請求項１の発明において、高圧放電灯は、点灯を開始した後に、両端電圧の振幅が上昇する過程で、両端電圧の振幅の上昇の速度が一時的に低下する減速期間を有するものであって、制御部は、高圧放電灯が点灯を開始してから、高圧放電灯の点灯の開始から減速期間の終了までの時間よりも長い所定の保留時間が経過した後に、安定監視動作を開始することを特徴とする。
【００２１】
この発明によれば、減速期間中にランプ電圧変動幅が安定変動幅未満となって寿命判定動作が行われることによる誤判定を避けながらも、監視時間を減速期間の長さに対して短くすることができ、つまり高圧放電灯点灯装置の回路部品に対して過剰な電気的ストレスが加わる可能性のある時間を短く抑えることができる。
【００２２】
請求項３の発明は、請求項１又は請求項２記載の高圧放電灯点灯装置と、高圧放電灯点灯装置に接続された高圧放電灯及び高圧放電灯点灯装置をそれぞれ保持する器具本体とを備えることを特徴とする。
【発明の効果】
【００２３】
請求項１の発明によれば、寿命判定動作が行われるタイミングが、高圧放電灯の点灯後に高圧放電灯の両端電圧の振幅が安定するまでにかかる安定時間に応じて変動するから、高圧放電灯の両端電圧の振幅が所定の判定閾値未満である期間が所定時間に達したときに高圧放電灯が寿命末期であると判定する場合に比べ、上記の安定時間が比較的に短い高圧放電灯については、高圧放電灯が寿命末期状態であるときに寿命末期が判定されるまでの時間を短縮することができる。
【００２４】
請求項２の発明によれば、高圧放電灯は、点灯を開始した後に、両端電圧の振幅が上昇する過程で、両端電圧の振幅の上昇の速度が一時的に低下する減速期間を有するものであって、制御部は、高圧放電灯が点灯を開始してから、高圧放電灯の点灯の開始から減速期間の終了までの時間よりも長い所定の保留時間が経過した後に、安定監視動作を開始するので、減速期間中にランプ電圧変動幅が安定変動幅未満となって寿命判定動作が行われることによる誤判定を避けながらも、監視時間を減速期間の長さに対して短くすることができ、つまり高圧放電灯点灯装置の回路部品に対して過剰な電気的ストレスが加わる可能性のある時間を短く抑えることができる。
【図面の簡単な説明】
【００２５】
【図１】本発明の実施形態において、点灯後の両端電圧の安定が比較的に速い高圧放電灯ＡＮ，ＡＯと点灯後の両端電圧の安定が比較的に遅い高圧放電灯ＢＮ，ＢＯとのそれぞれについて、寿命末期ではないと判定される場合ＡＮ，ＢＮと寿命末期であると判定される場合ＡＯ，ＢＯとの、点灯時間に対するランプ電圧の推移の例を示す説明図である。
【図２】同上の変更例において、点灯後の両端電圧の安定が比較的に速い高圧放電灯ＡＮ，ＡＯと点灯後の両端電圧の安定が比較的に遅い高圧放電灯ＢＮ，ＢＯとのそれぞれについて、寿命末期ではないと判定される場合ＡＮ，ＢＮと寿命末期であると判定される場合ＡＯ，ＢＯとの、点灯時間に対するランプ電圧の推移の例を示す説明図である。
【図３】同上を用いた照明器具の一例を示す斜視図である。
【図４】同上を用いた照明器具の別の例を示す斜視図である。
【図５】同上を用いた照明器具の更に別の例を示す斜視図である。
【図６】高圧放電灯点灯装置の一例を示す回路ブロック図である。
【図７】高圧放電灯の一例を示す説明図である。
【発明を実施するための形態】
【００２６】
以下、本発明を実施するための最良の形態について、図面を参照しながら説明する。
【００２７】
本実施形態の基本構成は図６で説明した従来例と共通であるので、共通する部分についての説明は省略する。
【００２８】
本実施形態の特徴である、高圧放電灯３が寿命末期か否かを判定する制御部２の動作について説明する。制御部２は、点灯判定回路２４において高圧放電灯３の点灯開始（始動）が判定されてからの経過時間（以下、「点灯時間」と呼ぶ。）を計時し、点灯時間が所定の保留時間Ｔｗ（図１参照）に達したとき、高圧放電灯３が寿命末期か否かを判定するための安定監視動作を開始する。
【００２９】
安定監視動作においては、制御部２は、ランプ電圧を監視し、図１に示すように、所定の監視時間Ｔｄを有する単位期間毎に、ランプ電圧が安定したか否か（すなわち高圧放電灯３の状態が安定したか否か）を判定するという動作を、ランプ電圧が安定したと判定されるまで繰り返す。ここで、上記の保留時間Ｔｗは監視時間Ｔｄよりも長くされている。
【００３０】
ランプ電圧が安定したか否かの判定については、単位期間内でのランプ電圧の変動幅であるランプ電圧変動幅を演算して、得られたランプ電圧変動幅を所定の安定変動幅Ｖｓｔと比較し、ランプ電圧変動幅が安定変動幅Ｖｓｔ以上であればランプ電圧は未だ安定していないと判定して安定監視動作を継続し、ランプ電圧変動幅が安定変動幅Ｖｓｔ未満であればランプ電圧が安定したと判定して次の寿命判定動作に進む。ランプ電圧変動幅の演算方法としては、具体的には例えば、単位期間毎に複数回ずつランプ電圧をサンプリングし、単位期間内で得られたランプ電圧の中での最大値と最小値との差をランプ電圧変動幅とする。なお、通常、高圧放電灯３の点灯開始後にランプ電圧が安定するまでの期間には、ランプ電圧は点灯時間の経過とともに単調増加しており、つまり各単位期間でそれぞれ開始時のランプ電圧が最小値であって終了時のランプ電圧が最大値であるとみなすことができるので、ランプ電圧のサンプリングは監視時間Ｔｄおきにのみ行い、最新のランプ電圧と直前の（つまり監視時間Ｔｄだけ遡った時点での）ランプ電圧との差をランプ電圧変動幅としてもよい。上記のようなランプ電圧の検出に当ってのノイズ除去や、ランプ電圧の定期的なサンプリング並びに単位期間毎の最大値及び最小値の保持は、いずれも周知技術で実現可能であるので、詳細な説明は省略する。
【００３１】
安定監視動作においてランプ電圧が安定したと判定された場合には、制御部２は、その時点で最新のランプ電圧を所定の判定閾値Ｖｔｈと比較することで高圧放電灯３が寿命末期か否かを判定するという寿命判定動作を行う。そして、寿命判定動作において、ランプ電圧が判定閾値Ｖｔｈ以上であれば、制御部２は、高圧放電灯３は寿命末期ではないと判定し、安定監視動作を終了して高圧放電灯３の点灯を継続させる。一方、寿命判定動作において、ランプ電圧が判定閾値Ｖｔｈ未満であれば、制御部２は、高圧放電灯３は寿命末期であると判定し、例えばバックコンバータ１２のスイッチング素子Ｑ２をオフ状態に維持することやフルブリッジインバータ１３の各スイッチング素子Ｑａ〜Ｑｄをオフ状態に維持することで、高圧放電灯３への電力の出力を停止させ、これによって各回路部品を過剰な電気的ストレスから保護する。なお、高圧放電灯３において短絡が発生した場合であっても、ランプ電圧が略０Ｖで安定するため、上記動作によって高圧放電灯３への電力の出力が停止される。
【００３２】
図１において、実線の曲線ＡＮはランプ電圧の安定にかかる時間（以下、「安定時間」と呼ぶ。）が比較的に短い高圧放電灯（以下、「高速安定型の高圧放電灯」と呼ぶ。）３について寿命末期ではないと判定される場合でのランプ電圧の推移を示し、実線の曲線ＡＯは高速安定型の高圧放電灯３について寿命末期であると判定される場合でのランプ電圧の推移を示し、破線の曲線ＢＮは安定時間が比較的に長い高圧放電灯（以下、「低速安定型の高圧放電灯」と呼ぶ。）３について寿命末期ではないと判定される場合でのランプ電圧の推移を示し、破線の曲線ＢＯは低速安定型の高圧放電灯３について寿命末期であると判定される場合でのランプ電圧の推移を示す。高圧放電灯３が寿命末期ではないと判定される場合には、高速安定型と低速安定型とのいずれの高圧放電灯３でも最終的にランプ電圧は所定の定格値Ｖｒｔに安定している。また、高速安定型の高圧放電灯３が寿命末期である場合には最初の単位期間の終了時に寿命末期との判定がなされ、低速安定型の高圧放電灯３が寿命末期である場合には３個めの単位期間の終了時に寿命末期との判定がなされている。
【００３３】
上記構成によれば、単位期間内のランプ電圧の変動幅に基いてランプ電圧が安定したか否かを判定するとともに、ランプ電圧が安定したと判定されたときにランプ電圧を判定閾値Ｖｔｈと比較しているので、従来例のようにランプ電圧が所定の判定時間にわたって判定閾値Ｖｔｈを下回った場合に高圧放電灯３が寿命末期であると判定する場合と違い、高速安定型の高圧放電灯３に対して寿命末期か否かの判定を確定させるタイミングを低速安定型の高圧放電灯３に合わせる必要がなく、従って、高圧放電灯３が高速安定型である場合には高圧放電灯３が寿命末期か否かの判定が確定するまでの点灯時間を短くすることができる。
【００３４】
ここで、ランプ電圧が安定する前において、ランプ電圧が判定閾値Ｖｔｈよりも低い所定電圧Ｖｗ（例えば約３０Ｖ）となったタイミングの前後には、ランプ電圧の上昇速度が一時的に低下する期間（以下、「減速期間」と呼ぶ。）が存在しており、上記の保留時間Ｔｗは、安定監視動作の開始のタイミングが上記の減速期間の終了のタイミングよりも確実に後となる程度に充分に長くされている。仮に、上記の安定監視動作が、図２に示すように、高圧放電灯３の始動が判定されてすぐに開始される場合、減速期間においてランプ電圧が安定したと誤判定されることで高圧放電灯３が寿命末期であるとの誤判定がされてしまうことを避けるためには、監視時間Ｔｄを減速期間の長さに対して充分に長くする必要があり、つまり高圧放電灯点灯装置の回路部品に対して過剰な電気的ストレスが加わる可能性のある時間が長くなってしまう。これに対し、本実施形態では監視時間Ｔｄを減速期間の長さに対して短くすることができ、つまり高圧放電灯点灯装置の回路部品に対して過剰な電気的ストレスが加わる可能性のある時間を短く抑えることができる。
【００３５】
本実施形態の高圧放電灯点灯装置は、例えば図３〜図５に示すような照明器具５に用いることができる。図３〜図５の照明器具５は、それぞれ、ダイオードブリッジＤＢとブーストコンバータ１１とバックコンバータ１２とフルブリッジインバータ１３と始動回路１４と制御部２とをそれぞれ収納した器具本体５１と、高圧放電灯３を保持した灯体５２とを備える。また、図３の照明器具５と図４の照明器具５とでは、それぞれ、フルブリッジインバータ１３及び始動回路１４と高圧放電灯３とを電気的に接続する給電線５３が露出している。図３の照明器具５は器具本体５１と灯体５２とがともに天井面に対して固定されるダウンライトであり、図４の照明器具５と図５の照明器具５とはそれぞれ天井面等の取付面に対して固定される器具本体５１に対して灯体５２が首振り可能に取り付けられたスポットライトである。上記のような各種の照明器具５は周知技術で実現可能であるので、詳細な説明は省略する。
【符号の説明】
【００３６】
２  制御部
３  高圧放電灯
５  照明器具
１１  ブーストコンバータ（請求項における点灯部の一部）
１２  バックコンバータ（請求項における点灯部の一部）
１３  フルブリッジインバータ（請求項における点灯部の一部）
１４  始動回路（請求項における点灯部の一部）
５１  器具本体
【図１】
2011113765.tif 000003
【図２】
2011113765.tif 000004
【図３】
2011113765.tif 000005
【図４】
2011113765.tif 000006
【図５】
2011113765.tif 000007
【図６】
2011113765.tif 000008
【図７】
2011113765.tif 000009